(57)【特許請求の範囲】
【請求項１】
開閉動するシャッターカーテンを有し、このシャッターカーテンに透光部材の配設によって形成された透光窓が設けられているシャッター装置において、
前記シャッターカーテンは、巻取軸への巻き取り、この巻取軸からの繰り出しにより前記開閉動を行い、
前記透光窓は、前記シャッターカーテンに形成された窓孔に前記透光部材を配設することにより形成されているとともに、前記窓孔の外周辺部に、前記シャッターカーテンの厚さ方向の片側でこのシャッターカーテンと重ね合わされている前記透光部材の周辺部が、前記片側に取り付けられている固定枠に固定されることにより、前記窓孔に前記透光部材が配設されており、
前記シャッターカーテンと前記固定枠と前記透光部材は、前記巻取軸に巻き取り自在なシートで形成されており、
前記透光部材には、前記窓孔の面積と同じ又はこれよりも少し小さい面積となっている透光膜部材が被せられおり、この透光膜部材は、粘着剤により前記透光部材に付着しているとともに、前記透光部材に対して剥離自在となっていることを特徴とするシャッター装置。
【請求項２】
請求項１に記載のシャッター装置において、前記透光膜部材は、前記透光部材の表裏両面に設けられていることを特徴とするシャッター装置。
【請求項３】
請求項１又は２に記載のシャッター装置において、前記透光膜部材を剥離した後の前記透光部材に付着させて被せるための交換用透光膜部材が用意されていることを特徴とするシャッター装置。
【請求項４】
請求項１〜３のいずれかに記載のシャッター装置において、前記透光部材に被せられている前記透光膜部材は、粘着剤で重ねられていて最外部から剥離自在となっている複数枚あることを特徴するシャッター装置。
【発明の詳細な説明】
【０００１】
【発明の属する技術分野】
本発明は、開閉動するシャッターカーテンに透光部材による透光窓が設けられているシャッター装置に係り、例えば、工場の出入口等の建物の開口部に設置されるシャッター装置に利用できるものである。
【０００２】
【背景技術】
工場の出入口等の建物の開口部には開閉装置であるシャッター装置が設置され、このシャッター装置の開閉体であるシャッターカーテンの両側端は左右のガイドレールに摺動自在に挿入され、モータで正逆回転する巻取軸によってシャッターカーテンの巻き取り、繰り出しがなされることにより、シャッターカーテンはガイドレールに案内されて開閉動する。このシャッターカーテンには、シャッターカーテンに形成した窓孔にアクリル板等による透明又は半透明等の透光部材を配設することによって透光窓が設けられ、この透光窓により、シャッターカーテンの全閉時においてもシャッターカーテンで仕切られた向こう側を視認することや採光等を行えるようになっている。
【０００３】
【発明が解決しようとする課題】
透光窓を形成している透光部材は、従来、シャッターカーテンに溶着又は接着で取り付けられており、したがって、透光部材はシャッターカーテンに固着されていた。
【０００４】
このため、透光部材が払拭可能な塵埃等で汚れたときはその清掃を行えばよいが、清掃不可能な汚染物等で汚損された場合には、従来において、シャッターカーテン全体を交換しなければならず、そのための作業及びコストの点で問題があった。
【０００５】
本発明の目的は、シャッターカーテンに透光部材による透光窓が設けられていても、透光部材の汚損によるシャッターカーテン全体の交換を不要にできるようになるシャッター装置を提供するところにある。
【０００６】
【課題を解決するための手段】
本発明に係るシャッター装置は、開閉動するシャッターカーテンを有し、このシャッターカーテンに透光部材の配設によって形成された透光窓が設けられているシャッター装置において、前記透光部材に剥離自在な透光膜部材が被せられていることを特徴とするものである。
【０００７】
このシャッター装置によると、透光窓を形成している透光部材には透光膜部材が剥離自在に被せられているため、透光部材に清掃不可能な汚染物等が直接付着することはなく、この汚染物等は透光膜部材に付着する。このため、透光膜部材を透光部材から剥離することにより透光窓はもとの良好な視認性や採光性等を回復し、シャッターカーテン全体を交換する必要がない。
【０００８】
このように透光膜部材を透光部材に剥離自在に被せることは、粘着剤、真空圧、吸盤等の任意な取付手段を用いることにより行える。
【０００９】
また、本発明に係るシャッター装置は、開閉動するシャッターカーテンを有し、このシャッターカーテンに透光部材の配設によって形成された透光窓が設けられているシャッター装置において、前記透光部材に剥離自在に被せられている透光膜部材と、この透光膜部材が剥がされた前記透光部材に被せられる交換用透光膜部材とを有することを特徴とするものである。
【００１０】
このシャッター装置によると、前記シャッター装置と同じく、透光部材に清掃不可能な汚染物等が直接付着することはなく、この汚染物等は透光部材に被せられている透光膜部材に付着し、このため、透光膜部材を透光部材から剥離することにより、透光窓のもとの良好な視認性や採光性等を回復できるとともに、剥離された透光膜部材に代わる交換用透光膜部材が用意されているため、この交換用透光膜部材を透光部材に被せることにより、透光窓を透光部材に透光膜部材が被せられたもとの状態に戻すことができる。
【００１１】
このシャッター装置における透光部材に透光膜部材を剥離自在に被せることも粘着剤、真空圧、吸盤等の任意な取付手段を用いることにより行え、さらに、交換用透光膜部材も透光部材に剥離自在に被せ、別の交換用透光膜部材と交換できるようにする場合にも、交換用透光膜部材を透光部材に粘着剤、真空圧、吸盤等の任意な取付手段で被せることにより、交換用透光膜部材を透光部材に対して剥離自在とすることができる。
【００１２】
以上において、透光部材に被せる透光膜部材は１枚だけでもよいが、この透光膜部材を粘着剤、真空圧、吸盤等の任意な取付手段を介して積層されかつそれぞれが剥離自在な複数枚としてもよい。このようにした場合において、積層された複数の透光膜部材のうち、透光部材に最も近い透光膜部材も透光部材に粘着剤、真空圧、吸盤等の任意な取付手段を用いて被せることにより、透光部材に対して剥離自在とすることができる。
【００１３】
このように透光膜部材を積層されかつそれぞれが剥離自在な複数枚とすると、汚染物等は最外部の透光膜部材に付着するため、この付着が生じたときには最外部の透光膜部材を剥離することにより次ぎの透光膜部材が表われることになり、これにより透光窓のもとの良好な視認性や採光性等を回復できる。
【００１４】
このように透光膜部材を積層されかつそれぞれが剥離自在な複数枚とし、かつ、前記交換用透光膜部材を用意する場合においては、この交換用透光膜部材を積層されていない１枚又は１枚ずつのものとしてもよく、透光部材に被せられている透光膜部材と同じく、粘着剤、真空圧、吸盤等の任意な取付手段を介して積層されかつそれぞれが剥離自在な複数枚としてもよい。この場合における積層された複数の交換用透光膜部材のうち、透光部材に被せられる透光膜部材も透光部材に粘着剤、真空圧、吸盤等の任意な取付手段で被せることができるようにすることにより、この透光膜部材を透光部材に対して剥離自在とすることができる。
【００１５】
以上説明したように透光部材に透光膜部材を被せる場合には、透光膜部材を被せる透光部材の面は、表裏両面でもよく、いずれか一方の面でもよい。いずれか一方の面に透光膜部材を被せる場合には、その面は、シャッター装置で仕切られる両方の側のうち、透光部材に付着する汚染物等が発生し易い側に向いている面とする。
【００１６】
また、本発明に係るシャッター装置は、開閉動するシャッターカーテンを有し、このシャッターカーテンに透光部材の配設によって形成された透光窓が設けられているシャッター装置において、前記透光部材が着脱自在となっていることを特徴とするものである。
【００１７】
このシャッター装置によると、透光窓を形成している透光部材は着脱自在になっているため、清掃不可能な汚染物等が透光部材に付着したときは、透光部材を取り外すことにより、透光窓は貫通状態になるものの、透光窓の視認性や採光性等は確保されることになり、シャッターカーテン全体を交換する必要がなくなる。
【００１８】
また、このように透光部材を着脱自在とした場合において、シャッターカーテンから取り外された透光部材に代わる交換用透光部材を用意しておいてもよい。
【００１９】
これによると、交換用透光部材をシャッターカーテンに取り付けることにより、透光窓は透光部材を備えたもとの状態に復帰し、透光窓の透光部材による遮断性、視認性、採光性等を備えたものとなる。
【００２０】
透光部材を着脱自在とするための手段は任意である。この手段は、例えば、務歯列とスライダからなるファスナーやその他のファスナーによるものでもよく、ベルクロによるものでもよく、ビスや鳩目、ボタン等の取り外し自在な止着具によるものでもよく、粘着テープによるものでもよく、磁石によるものでもよく、フック等の係止具又は係合具又は嵌合具によるもの等でもよい。
【００２１】
また、以上説明した本発明に係るシャッター装置において、透光部材及び透光膜部材は、透明のものでもよく、着色等された又は着色等されていない半透明のものでもよく、白濁処理等された不透明のものでもよく、要するに、視認や採光等を確保するための透光窓の機能を発揮できるものであればよい。
【００２２】
また、本発明は、シャッターカーテンが任意な材料、構造で形成されているシャッター装置に適用できる。すなわち、シャッターカーテンは、全体又は主要部が非耐火性又は耐火性のシートで形成されていてもよく、スラットの連設で形成されていてもよく、パネルの連設で形成されていてもよく、これらの複合で形成されていてもよい。また、シャッターカーテンは、透光窓が設けられない上部がパイプの連設で形成され、透光窓が設けられる下部又は中間部がシート、スラット、パネル等で形成されていてもよい。
【００２３】
また、シャッターカーテンの開閉方向は、上下方向でもよく、左右方向でもよく、上下方向等に対する傾き角を有する傾斜方向でもよい。
また、シャッターカーテンを開閉動させる方式は、モータ等を使用した自動式でもよく、手動式でもよく、自重降下式でもよく、これらの併用式又は切り替え式でもよい。
【００２４】
また、本発明は、建物の外壁や建物内部に設置される建物用シャッター装置は勿論のこと、地下街等の構造物に設けられる構造物用シャッター装置や、船舶等の輸送手段に設けられる輸送手段用シャッター装置等の各種シャッター装置に適用できる。
【００２５】
さらに、本発明に係るシャッター装置は、シャッターカーテンの格納方式が巻き取り式になっているものでもよく、折り畳み式になっているものでもよく、送り込み式になっているものでもよく、分離重ね合わせ式になっているものでもよい。
【００２６】
また、本発明は、以上のシャッター装置と異なり、例えば、建物の壁面に対して雨よけ用等のシャッターカーテンが角度をなして開閉動するオーニング装置等のシャッター装置にも適用でき、本発明をオーニング装置に適用する場合には、そのオーニング装置のシャッターカーテンはガイドレール等のガイド部材で案内されるものでもよく、ガイド部材で案内されないものでもよく、また、そのシャッターカーテンの開閉動の方式は、折り畳み、展開自在なアームで行われるものでもよく、ガイド部材を有するオーニング装置ではガイド部材の内部等に配置されたワイヤーやチェーン等で行われるものでもよい。
【００２７】
【発明の実施の形態】
以下に本発明の実施形態を図面に基づいて説明する。図１は、本実施形態に係るシャッター装置１の全体を示す正面図であり、このシャッター装置１は工場の出入口を開閉するためのものである。
【００２８】
シャッター装置１の上下方向に開閉動するシャッターカーテン２の左右側端は、工場の外壁３０に形成されている出入口３１の左右両側に取り付けられたガイド部材であるガイドレール３に摺動自在に挿入されている。シャッターカーテン２の上端は、シャッターケース４の内部に左右のブラケット５で回転自在に支持されて収納されている巻取軸６に連結され、この巻取軸６の正回転、逆回転により、シャッターカーテン２の巻取軸６への巻き取り、巻取軸６からの繰り出しがなされ、これにより、シャッターカーテン２はガイドレール３に案内されながら工場の開口部である出入口３１を開閉する。
【００２９】
シャッターケース４の内部には、モータ等からなる開閉機７が収納され、この開閉機７の駆動力はチェーン等による駆動力伝達手段８を介して巻取軸６に伝達され、開閉機７からの正逆回転駆動力により巻取軸６は、シャッターカーテン２を開閉動させるための正逆回転を行う。
【００３０】
シャッターカーテン２は、巻取軸６との連結部分や座板２Ａの部分等を除いた主要部分が可撓性を有するシートで形成されている。また、図１のＳ２―Ｓ２線断面図である図２で示すように、シャッターカーテン２には窓孔２Ｂが形成されており、上下寸法の大きな出入口３１を全閉状態としたときのシャッターカーテン２の下部の箇所であって、人の目線の高さ位置に形成されているこの窓孔２Ｂには、シート状の透光部材９が配設されている。この透光部材９は、図１に示すとおり、シャッターカーテン２に縫着、溶着、接着等で取り付けられている固定枠１０に縫着、溶着、接着等で透光部材９の四周辺が固定されることにより、シャッターカーテン２に取り付けられている。
【００３１】
これにより、シャッターカーテン２には、窓孔２Ｂと透光部材９と固定枠１０とからなる透光窓１１が形成されている。
【００３２】
なお、この透光窓１１は、固定枠１０を廃止し、透光部材９をシャッターカーテン２に縫着、溶着、接着等で直接取り付けることにより形成してもよい。
【００３３】
シャッターカーテン２はポリエステル製の基布を含む積層シートで形成されており、固定枠１０も同様の材料からなり、したがって、これらは上記巻取軸６に巻き取り自在である。また、透光部材９は、可撓性を有するアクリル製シート又はポリ塩化ビニル製シート等の合成樹脂性シートからなり、したがって、透光部材９も巻取軸６に巻き取り自在である。
【００３４】
図２に示すように、透光部材９には、窓孔２Ｂの面積と同じ又はこれよりも少し小さい面積となっている透光膜部材１２が被せられており、薄いフィルム状になっていて窓孔２Ｂと対応する面積を有するこの透光膜部材１２は、本実施形態では、透光部材９の表裏両面に被せられている。また、透光膜部材１２は粘着剤により透光部材９に付着し、透光部材９を覆っているため、透光部材９に対して剥離自在となっている。また、透光膜部材１２は可撓性を有するアクリル製又はポリ塩化ビニル製又はポリエチレン製又はポリプロピレン製であるため、透光膜部材１２も透光部材９と共に巻取軸６に巻き取り自在である。
【００３５】
透光膜部材１２は、透光部材６と同じく、透明又は半透明であり、このため、巻取軸６からシャッターカーテン２が繰り出され、このシャッターカーテン２が出入口３１を全閉状態にしていても、シャッターカーテン２で仕切られた両方の側の一方から他方を透光窓１１を通して視認でき、あるいは、採光することができる。
【００３６】
以上のように本実施形態に係るシャッターカーテン２の透光窓１１は、透光部材９に剥離自在な透光膜部材１２を被せたものとなっているため、シャッター装置１が長期間使用された場合、清掃不可能な汚染物等は、透光部材９ではなく、透光膜部材１２に付着する。このような付着物が生じた場合には、透光膜部材１２を剥離することによりきれいな透光部材９が表われ、透光窓１１の良好な視認性が回復される。このため、透光窓１１の良好な視認性や採光性等を得るためにシャッターカーテン２の全体を交換する必要はない。
【００３７】
また、透光部材９に剥離自在な透光膜部材１２を被せておくことにより、透光部材６が飛来物等で損傷するのを透光膜部材１２によって防止でき、透光膜部材１２が損傷したときは、この透光膜部材１２を剥離することにより、損傷していない透光部材９が表われ、この透光部材９で透光窓１１の視認性や採光性等を確保できる。
【００３８】
以上の本実施形態に係るシャッター装置１には、図２に示すように、交換用透光膜部材１３が用意されている。透光部材９に被せられていた透光膜部材１２を汚染物等の付着や飛来物等による損傷のために剥離した後、この交換用透光膜部材１３を透光部材９に付着させて被せる。交換用透光膜部材１３の透光部材９への付着は粘着剤によって行い、これより、交換用透光膜部材１３を透光部材９に対して剥離自在とする。
【００３９】
これによると、透光部材９は剥離自在な透光膜部材１３で再び覆われることになり、透光窓１１はもとの状態に復帰する。このため、この後に透光膜部材１３が汚染物等の付着や飛来物による損傷等で汚損されたときは、透光部材９から透光膜部材１３を剥離することにより、透光窓１１の良好な視認性や採光性等を再度回復できる。
【００４０】
図３は、透光部材９に被せる透光膜部材の別実施形態を示す。この実施形態では、透光部材９のそれぞれの面に被せられている透光膜部材１２は１枚ではなく、積層された２枚となっている。これら２枚の透光膜部材１２は粘着剤で重ねられており、最外部の透光膜部材１２はその内側の透光膜部材１２から剥離自在であり、この内側の透光膜部材１２は透光部材９から剥離自在である。
この実施形態によると、最外部の透光膜部材１２が汚染物等や飛来物等で汚損されたときは、最外部の透光膜部材１２を剥離することにより、次ぎの透光膜部材１２が表面に表われるため、透光窓１１の良好な視認性や採光性等が回復することになり、また、表面の透光膜部材１２が汚損されたときは、この透光膜部材１２を剥離すればよい。
【００４１】
したがって、透光膜部材１２を、積層されかつそれぞれが剥離自在となっている複数枚とすることにより、透光膜部材１２を順次剥離することによって透光窓１１の良好な視認性や採光性等を長期間に亘って確保することができる。
【００４２】
この実施形態でも、交換用透光部材を用意しておいてもよく、この交換用透光膜部材は１枚でもよく、積層されかつそれぞれが剥離自在となった複数枚でもよい。
【００４３】
図４の実施形態は、シャッターカーテン２の透光窓１５が、シャッターカーテン２に形成されている窓孔２Ｂに透光部材９を着脱自在に取り付けることにより形成されている実施形態である。
【００４４】
この実施形態では、窓孔２Ｂの内縁部に一方の務歯列１６Ａが、透光部材９の外縁部に他方の務歯列１６Ｂがそれぞれ設けられており、これらの務歯列１６Ａ，１６Ｂはスライダ１６Ｃと共にファスナー１６を構成している。務歯列１６Ａと１６Ｂはスライダ１６Ｃの往復スライド操作により互いに噛合し、分離する。務歯列１６Ａと１６Ｂを互いに噛合させることにより、透光部材９は窓孔２Ｂの位置と一致してシャッターカーテン２に取り付けられ、務歯列１６Ａと１６Ｂを分離させることにより、透光部材９を取り外すことができる。
【００４５】
シャッターカーテン２は、通常、透光部材９が取り付けられている状態、すなわち、窓孔２Ｂが透光部材９で塞がれている状態で使用され、透光部材９が汚染物や飛来物等で汚染された場合には、スライダ１６Ｃのスライド操作で透光部材９をシャッターカーテン２から取り外す。これにより、透光窓１５は貫通状態になるものの、透光窓１５の視認性や採光性等は回復される。
【００４６】
また、取り外された透光部材９に代わる交換用透光部材を用意しておくことにより、この交換用透光部材をシャッターカーテン２に取り付け、この交換用透光部材で窓孔２Ｂを再び塞いでもよい。これによると、透光窓１５をもとの状態に復帰させることができる。
【００４７】
図５の実施形態の透光窓２０は、シャッターカーテン２に透光部材９をベルクロ２１で着脱自在に取り付けることにより形成されている。これによっても、シャッターカーテン２に窓孔２Ｂの位置と一致させて透光部材９を着脱自在に取り付けることができる。この実施形態でも、取り外された透光部材９に代わる交換用透光部材２２を用意しておいてもよい。
【００４８】
以上のように、透光部材９を窓孔２Ｂの位置と一致させてシャッターカーテン２に着脱自在に取り付けるための手段は、ファスナー１６に限定されず、任意である。
【００４９】
【発明の効果】
本発明によると、シャッターカーテンに透光部材による透光窓が設けられていても、透光部材の汚損によるシャッターカーテン全体の交換を不要にできるという効果を得られる。
【図面の簡単な説明】
【図１】本発明の一実施形態に係るシャッター装置の全体を示す正面図である。
【図２】図１のＳ２−Ｓ２線断面図である。
【図３】透光部材に被せられている透光膜部材が、積層されかつそれぞれが剥離自在となった複数枚になっている実施形態を示す図２と同様の図である。
【図４】透光窓が、透光部材をシャッターカーテンに務歯列とスライダからなるファスナーで着脱自在に取り付けることにより形成されている実施形態を示す透光窓の部分の拡大正面図である。
【図５】透光部材がベルクロでシャッターカーテンに着脱自在に取り付けられている実施形態を示す図２と同様の図である。
【符号の説明】
１  シャッター装置
２  シャッターカーテン
２Ｂ  窓孔
３  ガイド部材であるガイドレール
６  巻取軸
９  透光部材
１１，１５，２０  透光窓
１２  透光膜部材
１３  交換用透光膜部材
１６  務歯列とスライダからなるファスナー
２１  ベルクロ
２２  交換用透光部材
【図１】
0004727049.tif 000002
【図２】
0004727049.tif 000003
【図３】
0004727049.tif 000004
【図４】
0004727049.tif 000005
【図５】
0004727049.tif 000006